(57)【要約】【課題】フード付き液体噴霧器を用いて被吹付け面へ液体を吹き付ける際に該吹付けを確実に行うことができる容器を提供する。【解決手段】ノズル筒に筒状フードを付設した液体噴霧器において、上記筒状フード18の筒壁に空気逃し口20を穿設している。該空気逃し口は、霧の流出を遮断する通気性メッシュ22で閉塞させても良く、又、ノズル筒６に外嵌する嵌合筒12から外方突出する筒状フード18の基部19に、ノズル孔6aから噴出する霧の直射を避けて開口させても良い。【選択図】  図１
2005288359.tif 000002
【特許請求の範囲】
【請求項１】
ノズル筒に筒状フードを付設した液体噴霧器において、上記筒状フード18の筒壁に空気逃し口20を穿設したことを特徴とする液体噴霧器。    
【請求項２】
上記空気逃し口20を、霧の流出を遮断する通気性フィルタ22で閉塞させたことを特徴とする、請求項１記載の液体噴霧器。
【請求項３】
上記空気逃がし口20を、空気吹出し用の多数の微小孔24…で形成したことを特徴とする、請求項１記載の液体噴霧器。
【請求項４】
上記空気逃し口20を、ノズル筒６に嵌合する嵌合筒12から外方突出する筒状フード18の基部19に、ノズル孔6aから噴出する霧の直射を避けて開口させたことを特徴とする、請求項１記載の液体噴霧器。
【請求項５】
トリガー式液体噴霧器本体１のノズル筒６に嵌合する嵌合筒12から上記筒状フード18を前方突設するとともに、上記嵌合筒12から下後方へ突出するストッパ部材13でトリガー７をロックし、該ロックを上記ノズル筒６の回動により解除可能としたことを特徴とする、請求項１、請求項２、請求項３又は請求項４記載の液体噴霧器。
【請求項６】
トリガー式液体噴霧器本体１のノズル筒６に嵌合する嵌合筒12から上記筒状フード18を前方突設するとともに、上記嵌合筒12の側面から後方へ突出した張出し板部26が上記ポンプ本体４の外側面へ当接するように設け、該張出し板部26を介してノズル筒６を回動可能としたことを特徴とする、請求項１、請求項２、請求項３又は請求項４記載の液体噴霧器。
【請求項７】
トリガー式液体噴霧器本体１のノズル筒６の下面からトリガー７前面に沿ってカバー板28を垂設するとともに、該トリガー基部に対応する箇所に該基部嵌挿用切欠き30を有する嵌合筒12を、ノズル筒６外面へ嵌合させ、かつ該嵌合筒12から上記筒状フード18を前方突出させたことを特徴とする、請求項１、請求項２、請求項３又は請求項４記載の液体噴霧器。
【請求項８】
上記筒状フード18を、ノズル筒６に対して着脱自在に設けたことを特徴とする、請求項１乃至請求項７の何れかに記載した液体噴霧器。
【請求項９】
押下げ式噴霧器本体101の押下げヘッド102へ着脱自在に嵌合させた下端開口のキャップ筒32の前部から、押下げヘッド102のノズルと連通させて、上記筒状フード18を突出させたことを特徴とする、請求項１、請求項２、請求項３、又は請求項４記載の液体噴霧器。
【発明の詳細な説明】
【技術分野】
【０００１】
本発明は、フード付きの液体噴霧器に関する。
【背景技術】
【０００２】
トリガー式の液体噴出器として、洗剤などの噴射液体が被吹付け面から利用者の顔へ跳ね返ることを防止するため、噴出ノズルに筒状フードを付設したものが提案されている（特許文献１、特許文献２）。
【０００３】
【特許文献１】特開平８−３０９２４０号
【特許文献２】特開平９−２５３５３９号
【発明の開示】
【発明が解決しようとする課題】
【０００４】
上記液体噴出器は、被吹付け面にフード前端面を密接させて液体を噴出するように構成されているが、噴霧ノズルを用いて液体を噴霧させる場合には、霧状の液体粒子は液体の噴出流に比べて空気抵抗を受け易いので、フードの内部空間がフード内面と被吹付け面とで密閉されていると、該被吹付け面へ吹き付け難い。
【０００５】
そこで本発明は、筒状フード付き液体噴霧器を用いて、被吹付け面へ噴霧液体を確実、効果的かつ安定的に付着させるため、上記筒状フードの筒壁に空気逃し口を穿設したものを提供し、併せて該空気逃し口に霧の流出を阻止する通気性フィルタで覆合すること、或いは該フィルタと同等の機能を有する空気吹出し用微小孔群で空気吹出し口を形成すること、更に空気逃し口を噴霧液体の直射を避けて配置することを提案することを目的とする。
【課題を解決するための手段】
【０００６】
第1の手段として、ノズル筒に筒状フードを付設した液体噴霧器において、上記筒状フード18の筒壁に空気逃し口20を穿設している。
【０００７】
第２の手段として、上記第1の手段を有しかつ上記空気逃し口20を、霧の流出を遮断する通気性フィルタ22で閉塞させている。
【０００８】
第３の手段として、上記第1の手段を有しかつ上記空気逃がし口20を、空気吹出し用の多数の微小孔24…で形成した。
【０００９】
第４の手段として、上記第1の手段を有しかつ上記空気逃し口20を、ノズル筒６に嵌合する嵌合筒12から外方突出する筒状フード18の基部19に、ノズル孔6aから噴出する霧の直射を避けて開口させている。
【００１０】
第５の手段として、上記第1の手段、第2の手段又は第３の手段を有しかつトリガー式液体噴霧器本体１のノズル筒に嵌合する嵌合筒12から上記筒状フード18を前方突設するとともに、上記嵌合筒12から下後方へ突出するストッパ部材13でトリガー７をロックし、該ロックを上記ノズル筒６の回動により解除可能としている。
【００１１】
第６の手段として、上記第1の手段、第2の手段、第３の手段又は第４の手段を有しかつトリガー式液体噴霧器本体１のノズル筒６に嵌合する嵌合筒12から上記筒状フード18を前方突設するとともに、上記嵌合筒12の側面から後方へ突出した張出し板部26が上記ポンプ本体４の外側面へ当接するように設け、該張出し板部26を介してノズル筒６を回動可能としている。
【００１２】
第７の手段として、上記第1の手段、第2の手段、第３の手段又は第４の手段を有しかつトリガー式液体噴霧器本体１のノズル筒６の下面からトリガー７前面に沿ってカバー板28を垂設するとともに、該トリガー基部に対応する箇所に該基部嵌挿用切欠き30を有する嵌合筒12を、ノズル筒６外面へ嵌合させ、かつ該嵌合筒12から上記筒状フード18を前方突出させている。
【００１３】
第８の手段として、上記第１の手段又は第７の手段の何れかを有し、かつ上記筒状フード18を、ノズル筒６に対して着脱自在に設けている。
【００１４】
第９の手段として、上記第1の手段、第2の手段、第３の手段又は第４の手段を有しかつ押下げ式噴霧器本体101の押下げヘッド102へ着脱自在に嵌合させた下端開口のキャップ筒32の前部から、押下げヘッド102のノズルと連通させて、上記筒状フード18を突出させている。
【発明の効果】
【００１５】
第1の手段に係る発明によれば、筒状フード18の筒壁に空気逃し口20を穿設したから、ノズル筒６から噴霧液体を噴出したときに、該液体の噴出量に応じて筒状フード18内の空気を、空気逃し口20を介して外部へ放出することができるので、噴霧液体を空気抵抗に邪魔されずに確実かつ安定的に被目的面に付着させることができる。
【００１６】
第２の手段に係る発明によれば、上記空気逃し口20を、霧の流出を遮断する通気性フィルタ22で覆合させたから、霧状液体を外部に洩らさずに効率的に被吹付け面へ吹付けることができる。
【００１７】
第３の手段に係る発明によれば、上記空気逃し口20を、筒状フード18の基部19にノズル孔6aから噴出する霧の直射を避けて開口させたから、上記第２の手段に比べて簡易な構造で同様の効果を達成することができる。
【００１８】
第４の手段に係る発明によれば、上記ノズル筒６から突出したストッパ部材13で、ノズル筒の回動により解除可能にトリガー７をロックさせたから、不用意にトリガーを引いて液体を噴霧することがなく、これにより不使用時に噴霧された液体が空気逃し口20にこびり付くなどの不都合を回避できる。
【００１９】
第５の手段に係る発明によれば、張出し板部26を掴んでノズル筒６を回動させることで、ノズル筒６を開位置と閉位置との間で容易に変位させることができる。
【００２０】
第６の手段に係る発明によれば、トリガー７前面に沿ってカバー板28を垂下したから、不意のトリガー動作を阻止できる。
【００２１】
第７の手段に係る発明によれば、例えば上記空気逃し口20を洗浄する際にノズル筒６から筒状フード18を外して容易に洗浄することができる。
【００２２】
第８の手段に係る発明によれば、本発明を押下げヘッド式噴霧容器に適用することができる。
【発明を実施するための最良の形態】
【００２３】
図１及び図２は、本発明に係る液体噴霧器の第1の実施形態を示している。
【００２４】
該液体噴霧器は、トリガー式液体噴霧器本体１と、フード付き部材11とで構成されている。
【００２５】
トリガー式液体噴霧器本体１は、公知の構成のもので、容器体２の口頸部に装着筒３を介してポンプ本体４を装着しており、該ポンプ本体が有する水平射出筒（図示せず）の前端部にノズル筒６を回動自在に付設するとともに、該ノズル筒後部から垂下するトリガー７を後方へ引くことで、容器体２内から液体をシリンダ８内部へ吸い上げ、該シリンダから上記水平射出筒を介してノズル筒６より液体を噴出可能に構成している。尚、ノズル筒６は、回転させることでノズル孔への開閉自在可能な構造を有するものとすることができる。
【００２６】
フード付き部材11は、嵌合筒12とストッパ部材13と筒状フード18とからなる。
【００２７】
上記嵌合筒12は、上記ノズル筒６の外面へ着脱自在に嵌合させている。
【００２８】
上記ストッパ部材13は、上記嵌合筒12の側面から張出し板部26を後方突出させて、該張出し板部26をポンプ本体４の側面乃至トリガー７側面へ当接させるとともに、張出し板部26の後部内面から内方へ突出した係止板部27を、上記トリガー７の背面に係止している。尚、上記張出し板部26は、上記ノズル筒６を回転させるための把手を兼ねている。
【００２９】
上記筒状フード18は、上記嵌合筒12の前端部から拡開するテーパ状筒部18aの前端部から直筒形の大径筒部18bを突出してなり、該大径筒部に複数の空気逃し口20…を開口している。図示例では、これら空気逃し口20…を、前端部を除く大径筒部分全周に亘って連結片21…を残して開口しており、これら空気逃し口から空気を容易に排出可能としている。尚、上記空気逃し口20…は必ずしも大径筒部に開口する必要はなく、例えば上記筒状フード18の前後方向一部の筒壁部分に形成しても良い。尚、空気逃し口20の大きさ、形状等は適宜選択することができるものとする。
【００３０】
上記空気逃し口20は、通気性のフィルタ22であるメッシュで覆合させる。該メッシュは、霧状液体の流通をほぼ遮断するように目の細かさを設定するものとする。このメッシュは空気逃し口20の口縁に剥離不能に取り付けるものとし、そのためにはこのメッシュをインサート成形などにより筒状フード18に取り付ければ良い。尚、メッシュに代えて不織布でフィルタを形成しても良い。
【００３１】
上記構成において、まずノズル筒６とともにストッパ部材13を開方向へ回動させてロックを外し、次に筒状フード18の前端面を図１に一点鎖線で示す被吹付け面Ａに当接させて、トリガー７を引くと、ノズル孔6aから霧状液体が噴霧されると、筒状フード18内の空気が空気逃し口20を介して外部へ流出するので、上記噴霧液体の被吹付け面Ａへの吹付けが円滑に行われる。又、上記空気逃し口20に付設されたフィルタ22は霧状液体粒子の外部への流出を阻止するので、該液体粒子は効率的に被吹付け面へ付着する。液体の噴霧作業を終えたときには、上記ストッパ部材13を元の位置に戻すと、図１の状態に戻る。尚、噴霧作業を終了したときには、ノズル筒６から筒状フード18を外し、上記空気逃し口20のフィルタ22を水洗いなどして、付着した噴霧液体を洗い流しておくことが望ましい。
【００３２】
図３及び図４は、本発明の第２の実施形態を示している。
【００３３】
本実施形態では、第1実施形態の如くフィルタで空気逃し口を覆合する代わりに、ノズル孔からの噴霧液体の直射を避けて空気逃し口を筒状フード18に設置したものである。
【００３４】
そのために、本実施形態では、ノズル筒６に外嵌する嵌合筒12の前端部から前方突出させた筒状フード18の基部19に上記空気逃し口20を開口しており、図３に一点鎖線で示すノズル筒６のノズル孔6aからの噴霧液体の直射範囲Ｂの外に上記空気逃し口20…を配置するように構成している。
【００３５】
該構成によれば、上記筒状フード18の前面を被吹付け面Ａに密着させてノズル孔6aから液体を噴霧すると、該噴霧液体と置換して筒状フード18内の空気が上記空気逃し口20…から排出されるので、上記噴霧液体が被吹付け面Ａに接触せずに周囲に流出することを防止できる。
【００３６】
図５は、本発明の第３実施形態を示している。この実施形態は、上記空気逃がし口20を、多数の空気吹出し用微小孔24…で形成したもので、これら空気吹出し用微小孔群は、上述のフィルタ付き空気逃がし口20と同様の機能を有する。好ましい微小孔の径は、0.1〜0.2mm程度である。
【００３７】
図６は、本発明の第4実施形態を示している。本実施形態は、既述嵌合筒12にストッパ部材13を設ける代わりに、ノズル筒６の下面からトリガー７の前面に沿って横断面Ｔ字形のカバー板28を垂下し、かつ該カバー板の断面形状に対応した形の切欠き30を上記嵌合筒12の下部に穿設し、その切欠き30内へカバー板28基部を嵌挿させて、嵌合筒12をノズル筒６外面へ嵌合させたものである。尚、嵌合筒12内面及びノズル筒６外面の各先端部には相互に着脱自在に嵌合する凹凸状嵌合手段を設けている。上記カバー板28は、トリガー７前面を覆っているときにノズル筒６内部のノズル孔への流路が閉となり、又、ノズル筒６の回転によりトリガー７前面から側方へ外れたときに上記流路が開となるように設けると良い。尚、本実施形態において、筒状フード18は、図示の第2実施形態のもの、或いは第1実施形態のものの何れでも良い。
【００３８】
図７は、本発明の第５実施形態を示している。この実施形態は、既述嵌合筒に代えて、押下式のスプレー101Ａ乃至エアゾール容器101Ｂの何れの押下げヘッド102にも嵌合可能な、有頂筒状のキャップ筒32を設け、該キャップ筒の前壁に押下げヘッドのノズル孔と連通する透孔（図示せず）を穿設し、該透孔の周りのキャップ筒前壁部分外面から筒状フード18を突出したものである。該筒状フード18は、図示の第2実施形態のもの、或いは第1実施形態のものの何れでも良い。
【図面の簡単な説明】
【００３９】
【図１】本発明の第1の実施形態に係る液体噴出器の側面図である。
【図２】図１の液体噴出器の主要部材斜視図である。
【図３】本発明の第２の実施形態に係る液体噴出器の側面図である。
【図４】図３の液体噴出器の主要部材斜視図である。
【図５】本発明の第３の実施形態に係る液体噴出器の側面図である。
【図６】本発明の第４の実施形態に係る液体噴出器の側面図である。
【図７】本発明の第５の実施形態に係る液体噴出器の側面図である。
【符号の説明】
【００４０】
１…トリガー式液体噴霧器本体  ２…容器体  ３…装着筒  ４…ポンプ本体
６…ノズル筒  6a…ノズル孔  ７…トリガー  ８…シリンダ
11…フード付き部材  12…嵌合筒  13…ストッパ部材  14…縦板部  15…連結腕
16…係合板部  18…筒状フード  18a…テーパ状筒部  18b…大径筒部  19…基部
20…空気逃し口  21…連結片  22…フィルタ  24…空気吹出し用微孔
26…張出し板部  28…カバー板  30…切欠き  32…キャップ筒
101…押下げ式噴霧器本体  102…押下げヘッド
【図１】
2005288359.tif 000003
【図２】
2005288359.tif 000004
【図３】
2005288359.tif 000005
【図４】
2005288359.tif 000006
【図５】
2005288359.tif 000007
【図６】
2005288359.tif 000008
【図７】
2005288359.tif 000009